(57)【要約】【課題】ライブビュー表示の実行中に、必要なときのみシャッター状態を確認することで消費電力の増大を抑えることができる撮像装置を提供する。【解決手段】ライブビュー表示手段（カラー液晶駆動回路１１２、カラー液晶表示部１９）にライブビュー表示を行っているときに、撮像素子３３に入射している光量が所定値以下であるかどうかを判定し、判定結果が所定値以下であった場合に、シャッター３２の状態を確認する検知手段４７、４８の動作を実行するＭＰＵ１００を備える。【選択図】図３
2008311743.tif 000002
【特許請求の範囲】
【請求項１】
撮影レンズにより結像された被写体像を光電変換する撮像素子と、
前記撮像素子に入射する光束を遮蔽するシャッターと、
前記シャッターの状態を検知する検知手段
前記シャッターを開いて前記撮像素子から得られる被写体像を連続表示するライブビュー表示を行うライブビュー表示手段と、
前記ライブビュー表示を行っているときに、前記撮像素子に入射している光量が所定値以下であるかどうかを判定し、判定結果が所定値以下であった場合に、前記検知手段を動作させる制御手段と、
を備えることを特徴とする撮像装置。
【請求項２】
前記検知手段が前記シャッターに異常があることを検知したとき、前記シャッターの状態を初期状態に復帰させる復帰手段をさらに備えることを特徴とする請求項１記載の撮像装置。
【請求項３】
前記検知手段の検知結果を報知する報知手段をさらに備えることを特徴とする請求項１または２記載の撮像装置。
【発明の詳細な説明】
【技術分野】
【０００１】
本発明は、撮像素子から得られる被写体像を液晶表示部に連続表示するライブビュー表示が可能な撮像装置に関するものである。
【背景技術】
【０００２】
撮像装置としてのデジタルカメラは、被写体像を写し込む媒体として、従来の銀塩フィルムの代わりにＣＭＯＳ等の撮像素子を用いている。撮像素子で得られた画像データを記憶媒体に記憶し、同一の撮像素子で全ての駒に係る撮影を行っている。
【０００３】
また、近年のデジタルカメラでは、撮像（撮影）範囲を確認するための構造として、光学式のビューファインダーを備えるものと、撮像素子により取り込んだ画像をカメラ背面部の液晶表示部に連続表示するライブビューモードを備えるものとが知られている（例えば、特許文献１参照）。
【０００４】
上記のライブビューモードは、撮影光学系を通過した被写体の光学像を撮像素子に受光させ、電気信号に変換した被写体像をカメラの背面部の液晶表示部に連続表示させるものである。ユーザは、このライブビュー画像を見ることで、被写体像を確認しながら撮影を行うことができる。
【０００５】
上記のライブビュー機能は、ユーザにとって視認上のメリットが大きく、デジタルカメラにおいては今後広く採用される機能と考えられる。
【特許文献１】特開２００６−２２２９０３号公報
【発明の開示】
【発明が解決しようとする課題】
【０００６】
しかし、このライブビュー表示の実行中に、シャッターは常に開いた状態を維持する必要があり、シャッターの幕閉じの異常状態を監視するため、従来の検知手段は常時あるいは頻繁にシャッターの開状態を確認している。よって、この検知手段を連続的に長時間動作させることになるため、消費電力が大きくなるという問題がある。
【０００７】
本発明の目的は、ライブビュー表示の実行中に、必要なときのみシャッター状態を確認することで消費電力の増大を抑えることができる撮像装置を提供することにある。
【課題を解決するための手段】
【０００８】
上記目的を達成するために、本発明の撮像装置は、撮影レンズにより結像された被写体像を光電変換する撮像素子と、前記撮像素子に入射する光束を遮蔽するシャッターと、前記シャッターの状態を検知する検知手段と、前記シャッターを開いて前記撮像素子から得られる被写体像を連続表示するライブビュー表示を行うライブビュー表示手段と、前記ライブビュー表示を行っているときに、前記撮像素子に入射している光量が所定値以下であるかどうかを判定し、前記判定結果が所定値以下であった場合に、前記検知手段を動作させる制御手段とを備えることを特徴とする。
【発明の効果】
【０００９】
本発明の撮像装置は、ライブビュー表示手段にライブビュー表示を行っているときに、撮像素子に入射している光量が所定値以下であるかどうかを判定し、判定結果が所定値以下であった場合に、シャッターの状態を確認する検知手段の動作を実行する。
【００１０】
上記のようにライブビュー表示の実行中に、必要なときのみシャッター状態を確認することで消費電力の増大を抑えることができる。
【発明を実施するための最良の形態】
【００１１】
以下、本発明の実施の形態を図面を参照しながら詳細に説明する。
【００１２】
図１は、本発明の実施の形態に係るデジタルカメラの、撮影レンズユニットを外した状態の正面斜視図、図２は、本発明の実施の形態に係るデジタルカメラの背面斜視図である。
【００１３】
図１において、カメラ本体１には、撮影時に使用者がカメラを安定して握り易いように前方に突出したグリップ部１ａが設けられている。マウント部２は、着脱可能な撮影レンズ２００ａ（図３参照）をカメラ本体１に固定させる。
【００１４】
マウント接点２１を介して、カメラ本体１と撮影レンズユニット２００（図３参照）との間で制御信号、状態信号、データ信号などの通信を行うと共に、カメラ本体１から撮影レンズユニット２００への電力供給を行っている。また、マウント接点２１は電気通信のみならず、光通信、音声通信などを可能なように構成してもよい。
【００１５】
レンズロック解除釦４は、撮影レンズユニット２００を取り外す際に押し込む釦である。ミラーボックス５は、カメラ本体１内に配置されており、撮影レンズユニット２００を通過した撮影光束はここへ導かれる。
【００１６】
ミラーボックス５の内部には、メインミラー（クイックリターンミラー）６が配設されている。メインミラー６は、撮影光束をペンタプリズム２２（図３参照）の方向へ導くために撮影光軸に対して４５°の角度に保持される状態と、撮像素子３３（図３参照）の方向へ導くために撮影光束から退避した位置に保持される状態とに移動可能である。
【００１７】
カメラ本体１の上部のグリップ側には、撮影開始の起動スイッチとしてのシャッターボタン７と、撮影時の動作モードに応じてシャッタースピードやレンズ絞り値を設定するためのメイン操作ダイヤル８とが配置されている。また、撮影系の動作モードを設定するための動作モード設定ボタン１０も配置されている。これらの操作部材の操作結果の一部は、ＬＣＤ表示パネル９に表示される。
【００１８】
シャッターボタン７は、第１ストローク（半押し）でＳＷ１（７ａ）（図３参照）がオンし、第２ストローク（全押し）でＳＷ２（７ｂ）（図３参照）がオンする構成となっている。
【００１９】
また、動作モード設定ボタン１０は、シャッターボタン７の１回の押し込みで連写になるか１コマのみの撮影となるかの設定や、セルフ撮影モードの設定などを行うものであり、ＬＣＤ表示パネル９にその設定状況が表示される。
【００２０】
カメラ本体１の上部中央には、カメラ本体１に対してポップアップするストロボユニット１１と、ストロボユニット取り付け用のシュー溝１２と、ストロボ接点１３とが配置されている。また、カメラ本体１の図１において上部右寄りには撮影モード設定ダイヤル１４が配置されている。
【００２１】
カメラ本体１の図１において右側面には、開閉可能な外部端子蓋１５が配置されており、この外部端子蓋１５を開けた内部には、外部インターフェースとしてビデオ信号出力用ジャック１６とＵＳＢ出力用コネクタ１７が納められている。
【００２２】
図２において、カメラ本体１の背面側には、光軸の上方にファインダー接眼窓１８が設けられており、更に背面略左側には画像表示可能なカラー液晶表示部１９が設けられている。
【００２３】
サブ操作ダイヤル２０は、カラー液晶表示部１９の横に配置されており、メイン操作ダイヤル８の機能の補助的役割を担っている。そして、例えばカメラのＡＥモードでは自動露出装置により算出された適正露出値に対する露出補正量を設定するために使用される。
【００２４】
また、シャッタースピードとレンズ絞り値の各々を使用者の意志によって設定するマニュアルモードにおいて、メイン操作ダイヤル８でシャッタースピードを設定し、サブ操作ダイヤル２０でレンズ絞り値を設定する。また、このサブ操作ダイヤル２０は、カラー液晶表示部１９に表示される撮影済み画像の表示選択手段としても用いられる。
【００２５】
メインスイッチ４３は、カメラの動作を起動もしくは停止するためのスイッチである。クリーニングモード操作部材４４は、クリーニングモードを動作させるためのものであり、光学ローパスフィルタ４１０（図３参照）上に付着した塵埃などの異物をふるい落とす動作を指示する。
【００２６】
ライブビューモード操作部材４５は、ライブビューモードを動作させるためのものであり、撮像素子３３で生成された被写体の画像をカラー液晶表示部１９に連続表示する動作を指示するためのものである。
【００２７】
図３は、図１のデジタルカメラの主要な電気的構成を示すブロック図であり、図１、図２と共通するものは同一番号を付している。
【００２８】
図３において、中央処理装置（以下、ＭＰＵという）１００は、カメラ本体１に内蔵されたマイクロコンピュータからなる。尚、ＭＰＵ１００は、カメラの動作を制御するものであり、カメラの各構成要素に対して様々な処理の実行を指示する。
【００２９】
ＥＥＰＲＯＭ１００ａは、ＭＰＵ１００に内蔵されており、時計計測回路１０９の時計情報やその他の撮影情報を記憶可能である。
【００３０】
ＭＰＵ１００には、ミラー駆動部１０１、焦点検知回路１０２、シャッター駆動部１０３、映像信号処理回路１０４、スイッチセンス回路１０５、測光回路１０６が接続されている。
【００３１】
また、ＭＰＵ１００には、ＬＣＤ駆動回路１０７、バッテリーチェック回路１０８、時刻計測回路１０９、電源供給回路１１０、圧電素子駆動回路１１１、異常検知回路１１３が接続されている。これらの要素（ユニット）はＭＰＵ１００の制御により動作するものである。
【００３２】
また、ＭＰＵ１００は、マウント接点２１を介して、撮影レンズユニット２００内に配置されたレンズ制御回路２０１と通信を行う。マウント接点２１は、撮影レンズユニット２００が接続されるとＭＰＵ１００へ信号を送信する機能も備えている。
【００３３】
これにより、レンズ制御回路２０１は、ＭＰＵ１００との間で通信を行い、撮影レンズユニット２００内の撮影レンズ２００ａ及び絞り２０４の駆動を、ＡＦ駆動部２０２及び絞り駆動部２０３を介して行うことが可能となる。
【００３４】
尚、本実施の形態では、便宜上撮影レンズ２００ａを１枚のレンズで示しているが、実際は多数のレンズ群により構成されている。
【００３５】
ＡＦ駆動部２０２は、例えばステッピングモータによって構成され、レンズ制御回路２０１の制御によって撮影レンズ２００ａ内のフォーカスレンズ位置を変化させることにより、撮像素子３３に撮影光束の焦点を合わせるように調整する。
【００３６】
絞り駆動部２０３は、例えばオートアイリスなどによって構成され、レンズ制御回路２０１の制御によって絞り２０４を変化させ、光学的な絞り値を得るように構成されている。
【００３７】
メインミラー６は、光学式ビューファインダーを用いて撮影する場合、撮影レンズ２００ａにより集光された被写体光をペンタプリズム２２へ導くと共に、被写体光の一部を透過させ、サブミラー３０を介して焦点検知センサユニット３１へと導く。また、メインミラー６は、ミラー駆動部１０１により、ファインダーにて被写体像を観察可能な位置と、撮影時に被写体光束の光路から待避した位置とに移動される。
【００３８】
位相差方式の焦点検知センサユニット３１は、結像面近傍に配置されたフィールドレンズ、反射ミラー、２次結像レンズ、絞り、複数のＣＣＤから成るラインセンサ等から構成されている。
【００３９】
サブミラー３０は、メインミラー６を透過した被写体光を反射させて、焦点検知センサユニット３１へ導く。サブミラー３０は、メインミラー６またはメインミラー６のミラー駆動部１０１と連動する。
【００４０】
ミラー駆動部１０１は、例えばＤＣモータとギヤトレインなどから構成され、ＭＰＵ１００の制御によってメインミラー６やサブミラー３０を駆動する。そして、サブミラー３０は、メインミラー６がファインダーにて被写体像を観察可能な位置にあるときには、焦点検知センサユニット３１へ被写体光を導く位置に、また撮影時には被写体光束の光路から待避した位置に移動する。
【００４１】
ペンタプリズム２２は、メインミラー６によって導かれた被写体像を正立正像に変換反射する光学部材である。撮影レンズ２００ａを通過した被写体光束は、絞り２０４を通過してメインミラー６で反射され、ペンタプリズム２２に導かれ、ファインダー接眼窓１８に達する。さらに、被写体光は測光センサ３７へも導かれる。
【００４２】
また、メインミラー６を透過した光束はサブミラー３０で反射され、撮像素子３３の撮像面とほぼ等価な位置に置かれた焦点検知センサユニット３１の検知面上で再結像される。その光像は、電気的な画像信号に変換されて焦点検知回路１０２に供給（出力）される。
【００４３】
焦点検知回路１０２は、ＭＰＵ１００の指示に従い、焦点検知センサユニット３１の蓄積制御と読み出し制御を行って、画素情報をＭＰＵ１００へ出力する。ＭＰＵ１００は、焦点検知回路１０２からの画像信号に基づいて、位相差検知法による焦点検知演算を行う。そして、撮影レンズ２００ａによる結像面と予定結像面との差及び方向、即ちデフォーカス量及びデフォーカス方向を求める（算出する）。
【００４４】
ＭＰＵ１００は、算出したデフォーカス量及びデフォーカス方向に基づいて、レンズ制御回路２０１、ＡＦ駆動部２０２を介して、撮影レンズ２００ａ内のフォーカスレンズを合焦位置まで移動させる。
【００４５】
シャッター３２は、撮像素子３３への光路に対して進退する遮蔽部材を有するフォーカルプレーンシャッターからなり、ファインダー観察時には被写体光束を遮る。具体的には、シャッター３２は、撮像時にはレリーズ信号に応じて、被写体光束の光路から待避して露光を開始させる先羽根群と、先羽根群の走行開始後所定のタイミングで被写体光束を遮光する後羽根群とを有する。シャッター３２は、ＭＰＵ１００の指令を受けたシャッター駆動部１０３によって駆動される。
【００４６】
本実施の形態においては、シャッター３２が先羽根群と後羽根群の両方とを有している場合について説明している。しかし、メカ二カルシャッターにより後羽根群が構成され、後羽根群の走行に先行して、撮像素子の画素の電荷蓄積開始走査を行う電子シャッターを駆動するような構成としてもよい。
【００４７】
撮像素子３３は、２次元型撮像デバイスであるＣＭＯＳが用いられている。ただし、撮像デバイスには、ＣＣＤ型、ＣＭＯＳ型及びＣＩＤ型など様々な形態があり、何れの形態の撮像デバイスを採用しても良い。本実施の形態においては、ＣＭＯＳ型の撮像素子が採用されている。
【００４８】
クランプ／ＣＤＳ（相関二重サンプリング）回路３４は、画像信号に対してＡ／Ｄ変換する前の基本的なアナログ処理を行うとともに、クランプレベルの変更も可能である。ＡＧＣ（自動利得調整装置）３５は、画像信号に対してＡ／Ｄ変換する前の基本的なアナログ処理を行うとともに、ＡＧＣ基本レベルの変更も可能である。Ａ／Ｄ変換器３６は、撮像素子３３のアナログ出力信号をデジタル信号に変換する。
【００４９】
映像信号処理回路１０４は、デジタル化された撮像素子３３からの画像データに対してガンマ／ニー処理、フィルタ処理、モニタ表示用の情報合成処理など、ハードウエアによる画像処理全般を実行する。
【００５０】
この映像信号処理回路１０４からのモニタ表示用の画像データは、カラー液晶駆動回路１１２を介してカラー液晶表示部１９に表示される。映像信号処理回路１０４は、必要に応じて撮像素子３３の出力信号のホワイトバランス情報をＭＰＵ１００に出力可能であり、その情報を基にＭＰＵ１００はホワイトバランス調整やゲイン調整を行う。また、ＭＰＵ１００は、撮像素子３３に入射している光量が所定値以下であるかどうかを判定する機能も有している。
【００５１】
ライブビュー機能を用いて撮影を行う場合、撮影レンズ２００ａにより結像された被写体像は撮像素子３３により光電変換される。そして、撮像素子３３から出力された画像信号は、映像信号処理回路１０４により処理され、カラー液晶駆動回路１１２を介して背面部のカラー液晶表示部１９に連続表示される。撮影者は、このカラー液晶表示部１９に表示される被写体像を確認しながら撮影を行うことが可能である。
【００５２】
ここで、カラー液晶駆動回路１１２とカラー液晶表示部１９とでライブビュー表示手段を構成する。
【００５３】
また、ライブビュー機能を実行している時に、撮像素子３３に入射している光量が所定値以下であるかどうかをＭＰＵ１００により判定する。そして判定結果が所定値以下であった場合に、ＭＰＵ１００の指示により異常検知回路１１３を起動し、シャッター３２の状態を確認する。
【００５４】
また、映像信号処理回路１０４は、ＪＰＥＧなどの圧縮処理を行う機能も有している。連写の場合は一旦、バッファメモリ３７に画像データを格納し、処理時間がかかる場合にメモリコントローラ３８を通して未処理の画像データを読み出し、映像信号処理回路１０４で画像処理や圧縮処理を行い、連写スピードを上げることもできる。連写枚数は、バッファメモリ３７の容量に大きく左右される。
【００５５】
メモリコントローラ３８では、映像信号処理回路１０４から入力された未処理のデジタル画像データをバッファメモリ３７に格納する。そして、処理済みのデジタル画像データをメモリ３９に格納し、あるいはその逆にバッファメモリ３７やメモリ３９から画像データを映像信号処理回路１０４に出力する。
【００５６】
また、メモリコントローラ３８は、外部インターフェース４０（図１におけるビデオ信号出力用ジャック１６、ＵＳＢ出力用コネクタ１７に相当する）から送られてくる画像データをメモリ３９に記憶することも可能である。また、メモリ３９に記憶されている画像データを外部インターフェース４０から出力することも可能である。尚、メモリ３９は、カメラ本体１に対して取り外しが可能である。
【００５７】
スイッチセンス回路１０５は、各スイッチの操作状態に応じて各部を制御する。スイッチＳＷ１（７ａ）は、シャッターボタン７の第１ストローク（半押し）によりオンする。スイッチＳＷ２（７ｂ）は、シャッターボタン７の第２ストローク（全押し）によりオンする。
【００５８】
スイッチＳＷ２がオンされると、撮影動作が開始される。また、スイッチセンス回路１０５には、メイン操作ダイヤル８、サブ操作ダイヤル２０、撮影モード設定ダイヤル１４、メインスイッチ（ＳＷ）４３、クリーニングモード操作部材４４、ライブビュー操作部材４５が接続されている。スイッチセンス回路１０５は、各スイッチの状態をＭＰＵ１００へ送信する。
【００５９】
尚、スイッチセンス回路１０５とメインスイッチ４３とＭＰＵ１００とから電源スイッチを構成している。また、電源スイッチがオンされたことが検知されると、電源４２からカメラ本体１へ給電が開始される。
【００６０】
測光回路１０６は、画面内の各エリアの輝度信号として、測光センサ３７からの出力をＭＰＵ１００に出力する。ＭＰＵ１００は、輝度信号をＡ／Ｄ変換し、撮影の露出量を算出する。
【００６１】
ＬＣＤ駆動回路１０７は、ＭＰＵ１００の表示内容命令に従って、ＬＣＤ表示パネル９やファインダー内液晶表示装置４１を駆動する。また、ＬＣＤ駆動回路１０７は、ＭＰＵ１００の指示により特定のセグメントを点滅表示状態にすることが可能である。
【００６２】
バッテリーチェック回路１０８は、ＭＰＵ１００からの信号に従って所定時間バッテリーチェックを行い、その検知出力をＭＰＵ１００へ送る。尚、バッテリーチェック回路１０８とＭＰＵ１００とからバッテリーチェック手段が構成されている。
【００６３】
時刻計測回路１０９は、メインスイッチ４３がオフされて次にオンされるまでの時間や日付を計測し、ＭＰＵ１００からの指令により、計測結果をＭＰＵ１００へ送信することができる。尚、時刻計測回路１０９とＭＰＵ１００とから、計測手段が構成されている。
【００６４】
電源４２は、各ＩＣ（集積回路）や駆動系に必要な電力を供給する。
【００６５】
光学ローパスフィルタ４１０は、水晶からなる複屈折板と位相板と複屈折板を複数枚貼り合わせて積層している。積層型の圧電素子４３０は、ＭＰＵ１００から指令を受けた圧電素子駆動回路１１１により加振され、その振動を光学ローパスフィルタ４１０に伝える。
【００６６】
撮像ユニット４００は、光学ローパスフィルタ４１０、圧電素子４３０、撮像素子３３がユニット化されたものである。
【００６７】
振動させる光学部品としてローパスフィルタ４１０を例示したが、本発明はこれに限定されるものではなく、撮像素子３３の前方に配置されている他の光学部品であってもよい。
【００６８】
図４は、図３のデジタルカメラによって実行されるライブビューモード制御処理の手順の第１の実施の形態のフローチャートである。
【００６９】
本処理は、図３におけるＭＰＵ１００によって実行される。
【００７０】
図４において、カメラ本体１の電源スイッチであるメインスイッチ４３がオンされると、まず、ライブビューモード操作部材（ライブビューＳＷ）４５が撮影者に操作されているかどうかを判定する（ステップＳ１０１）。ライブビューモード操作部材４５が操作されていない状態であれば、ステップＳ１０７に進む。
【００７１】
ステップＳ１０７では、従来のデジタルカメラと同じく、撮影レンズ２００ａにより結像される被写体像がペンタプリズム２２へ導かれる。これにより、撮影者は光学ビューファインダーにて被写体像を観察しながら撮影を行うことができる。そして、本処理を終了する。
【００７２】
一方、ライブビューモード操作部材４５が操作されている状態であれば、ＭＰＵ１００は、ライブビューモードの起動指示を認識し、電力供給回路１１０より必要な電力を供給する（ステップＳ１０２）。
【００７３】
ライブビューモードを起動後、ＭＰＵ１００は、撮像素子３３に入射している光量が所定値以下であるか否かを判定する（ステップＳ１０３）。
【００７４】
ステップＳ１０３で、撮像素子３３に入射している光量が所定値を超えていることを検知した時は、ステップＳ１０４へ進む。
【００７５】
ステップＳ１０４では、ＭＰＵ１００は、ミラー駆動部１０１を制御して、メインミラー６をアップさせて撮影レンズ２００ａの光路上から退避した位置に移動させる。また、同時にシャッター駆動部１０３を制御して、シャッター３２の先羽根幕を走行させて、後羽根幕４９（図５参照）は退避位置のままの状態で、シャッター３２を開いた状態とする。これにより、撮影レンズ２００ａからの被写体光が撮像素子３３に入射される。
【００７６】
撮像素子３３は、被写体光を光電変換し、生成された画像信号が連続カラー液晶表示部１９に表示される。これにより、ライブビューモードの動作が実現される。撮影者は、ライブビュー画像を見ながら構図を決め、撮影を行う。そして、本処理を終了する。
【００７７】
一方、ステップＳ１０３で、撮像素子３３に入射している光量が所定値以下であることを検知した時は、ステップＳ１０５で、ＭＰＵ（制御手段）１００は、シャッター３２の遮蔽部材の状態を確認するための異常検知回路１１３を起動する（異常検知手段起動）。
【００７８】
即ち、図５に示すように、ライブビュー表示の実行中に、遮蔽部材である先羽根幕と後羽根幕は所定位置に配置しているかどうか、シャッター３２の状態を検知する検知手段４７、４８（例えばＰＲセンサ、ＰＩセンサなど）により確認する（ステップＳ１０５）。
【００７９】
通常は、リアルタイムに画像信号を表示できるライブビューモードにおいて、シャッター３２の先羽根幕を走行させた後に、電磁石により後羽根幕４９を走行しない状態に保持している。
【００８０】
しかし、外部から何らかの衝撃、振動、落下などの原因で、後羽根幕４９の保持が解除され、シャッター３２の羽根幕閉じの異常状態が生じると、羽根幕が撮影素子３３の撮影領域４６を蔽ってしまう。そうなると、撮影レンズ２００ａを通過した光は撮像素子３３に取り込むことができなくなる。従って、この様に羽根幕の位置が異常であることを検知手段４７、４８に検知させる。
【００８１】
尚、本実施の形態では、２つ検知手段を有している場合について説明したが、検知手段を１つまたは３つ以上を有する構成としてもよい。
【００８２】
ステップＳ１０６では、ＭＰＵ１００は、検知手段４７、４８によりシャッター３２の羽根幕が異常状態であることを確認したら、シャッター駆動部（復帰手段）１０３によりシャッター３２を初期状態に再チャージする（復帰手段起動）。そして、チャージ後に先羽根幕を再度走行させて、後羽根幕４９は退避位置のままの状態で、ライブビューモードの動作を再開する。そして、本処理を終了する。
【００８３】
また、復帰手段を起動せずにＭＰＵ１００は、検知手段４７、４８によるシャッター３２の羽根幕の状態の検知結果を撮影者に知らせる報知手段を起動してもよい。即ち、ＬＣＤ表示パネル９あるいは音声発生部材などの報知手段を用いて、撮影者に対してシャッター３２の羽根幕の状態の検知結果を報知してもよい。
【００８４】
以上説明したように本実施の形態によれば、カメラ本体１の消費電力の増大によるカメラの不具合を防ぐため、ライブビュー動作中のシャッター３２の状態の確認を必要なときのみに限定して行うので、デジタルカメラの安定した動作を保証することができる。
【００８５】
図６は、図３のデジタルカメラによって実行されるライブビューモード制御処理の手順の第２の実施の形態のフローチャートである。
【００８６】
本処理は、図３におけるＭＰＵ１００によって実行される。
【００８７】
図６において、カメラ本体１の電源スイッチであるメインスイッチ４３がオンされると、まず、ライブビューモード操作部材（ライブビューＳＷ）４５が撮影者に操作されているかどうかを判定する（ステップＳ２０１）。ライブビューモード操作部材４５が操作されていない状態であれば、ステップＳ２０９に進む。
【００８８】
ステップＳ２０９では、従来のデジタルカメラと同じく、撮影レンズ２００ａにより結像される被写体像がペンタプリズム２２へ導かれる。これにより、撮影者は光学ビューファインダーにて被写体像を観察しながら撮影を行うことができる。そして、本処理を終了する。
【００８９】
一方、ライブビューモード操作部材４５が操作されている状態であれば、ＭＰＵ１００は、ライブビューモードの起動指示を認識し、電力供給回路１１０より必要な電力を供給する（ステップＳ２０２）。
【００９０】
ライブビューモードを起動後、ＭＰＵ１００は、撮像素子３３に入射している光量が所定値以下であるか否かを判定する（ステップＳ２０３）。
【００９１】
ステップＳ２０３で、撮像素子３３に入射している光量が所定値を超えていることを検知した時は、ステップＳ２０４へ進む。
【００９２】
ステップＳ２０４では、ＭＰＵ１００は、ミラー駆動部１０１を制御して、メインミラー６をアップさせて撮影レンズ２００ａの光路上から退避した位置に移動させる。また、同時にシャッター駆動部１０３を制御して、シャッター３２の先羽根幕を走行させて、後羽根幕４９（図５参照）は退避位置のままの状態で、シャッター３２を開いた状態とする。これにより、撮影レンズ２００ａからの被写体光が撮像素子３３に入射される。
【００９３】
撮像素子３３は、被写体光を光電変換し、生成された画像信号が連続カラー液晶表示部１９に表示される。これにより、ライブビューモードの動作が実現される。撮影者は、ライブビュー画像を見ながら構図を決め、撮影を行う。そして、本処理を終了する。
【００９４】
一方、ステップＳ２０３で、撮像素子３３に入射している光量が所定値以下であることを検知した時は、ステップＳ２０５で、ＭＰＵ１００は、シャッター３２の遮蔽部材の状態を確認するための異常検知回路１１３を起動する（異常検知手段起動）。
【００９５】
即ち、図５に示すように、ライブビュー表示の実行中に、遮蔽部材である先羽根幕と後羽根幕は所定位置に配置しているかどうか、シャッター３２の状態を検知する検知手段４７、４８（例えばＰＲセンサ、ＰＩセンサなど）により確認する（ステップＳ２０５）。
【００９６】
通常は、リアルタイムに画像信号を表示できるライブビューモードにおいて、シャッター３２の先羽根幕を走行させた後に、電磁石により後羽根幕４９を走行しない状態に保持している。
【００９７】
しかし、外部から何らかの衝撃、振動、落下などの原因で、後羽根幕４９の保持が解除され、シャッター３２の羽根幕閉じの異常状態が生じると、羽根幕が撮影素子３３の撮影領域４６を蔽ってしまう。そうなると、撮影レンズ２００ａを通過した光は撮像素子３３に取り込むことができなくなる。従って、この様に羽根幕の位置が異常であることを検知手段４７、４８に検知させる。
【００９８】
尚、本実施の形態では、２つ検知手段を有している場合について説明したが、検知手段を１つまたは３つ以上を有する構成としてもよい。
【００９９】
ステップＳ２０６では、ＭＰＵ１００は、検知手段４７、４８によりシャッター３２の羽根幕が異常状態であることを確認したら、シャッター駆動部１０３によりシャッター３２を初期状態に再チャージする（復帰手段起動）。そして、チャージ後に先羽根幕を再度走行させて、後羽根幕４９は退避位置のままの状態で、ライブビューモードの動作を再開する。
【０１００】
ステップＳ２０７では、撮像素子３３に入射している光量が所定値以下であるか否かを再度判定する。撮像素子３３に入射している光量が所定値を超えていることを検知した時は、ステップＳ２０４へ進む。
【０１０１】
一方、ステップＳ２０７で、撮像素子３３に入射している光量が所定値以下であることを検知した時は、ステップＳ２０８で、ＭＰＵ１００は、検知手段４７、４８によるシャッター３２の羽根幕の状態の検知結果を撮影者に知らせる報知手段を起動する。
【０１０２】
即ち、ＬＣＤ表示パネル９あるいは音声発生部材などの報知手段を用いて、撮影者に対してシャッター３２の羽根幕の状態の検知結果と、カメラの検査依頼あるいは修理依頼を薦める内容を報知する。そして、本処理を終了する。
【０１０３】
以上説明したように本実施の形態においては、カメラ本体１の消費電力の増大によるカメラの不具合を防ぐため、ライブビュー動作中のシャッター３２の状態の確認を必要なときのみに限定して行うようにしている。また、シャッター３２の異常状態を検知されたら、シャッター駆動部１０３によりシャッター３２を自動的に複帰させ、カメラの安定した動作を保証することが可能となる。
【０１０４】
上述した第１の実施の形態と第２の実施の形態では、撮影光学系が着脱可能なデジタルカメラに適用した場合を説明したが、これに限定されず、各種の分野における機器と、撮影光学系一体式のデジタルカメラにも適用して効果を発揮することができる。
【図面の簡単な説明】
【０１０５】
【図１】本発明の実施の形態に係るデジタルカメラの、撮影レンズユニットを外した状態の正面斜視図である。
【図２】本発明の実施の形態に係るデジタルカメラの背面斜視図である。
【図３】図１のデジタルカメラの主要な電気的構成を示すブロック図である。
【図４】図３のデジタルカメラによって実行されるライブビューモード制御処理の手順の第１の実施の形態のフローチャートである。
【図５】図１のデジタルカメラのシャッターの羽根検知手段の位置を示す図である。
【図６】図３のデジタルカメラによって実行されるライブビューモード制御処理の手順の第２の実施の形態のフローチャートである。
【符号の説明】
【０１０６】
１  カメラ本体
１ａ  グリップ部
２  マウント
４  レンズロック解除ボタン
５  ミラーボックス
６  メインミラー
７  シャッターボタン
８  メイン操作ダイヤル
９  ＬＣＤ表示パネル（報知手段）
１０  動作モード設定ボタン
１１  ストロボユニット
１２  シュー溝
１３  ストロボ接点
１４  撮影モード設定ダイヤル
１５  外部端子蓋
１６  ビデオ信号出力用ジャック
１７  ＵＳＢ出力用コネクタ
１８  ファインダー接眼窓
１９  カラー液晶表示部（ライブビュー表示手段構成要素）
２０  サブ操作ダイヤル
２１  マウント接点
３２  シャッター
３３  撮像素子
４７、４８  検知手段
１００  中央処理装置（制御手段）
１０３  シャッター駆動部（復帰手段）
１１２  カラー液晶駆動回路（ライブビュー表示手段構成要素）
２００ａ  撮影レンズ
【図１】
2008311743.tif 000003
【図２】
2008311743.tif 000004
【図３】
2008311743.tif 000005
【図４】
2008311743.tif 000006
【図５】
2008311743.tif 000007
【図６】
2008311743.tif 000008